(57)【要約】      （修正有）【課題】様々な甲の高さに対応し、調節が可能な伸縮ベルトを備えた子供靴を提供する。【解決手段】甲被の両側部３を切り欠き、両方の切欠き部に伸縮片を設けたスリッポン靴において、両方の切り欠き部の一方側の切欠き部に第１の伸縮片５を設けるとともに、その上部を切り欠き、前記伸縮片の切欠き部を覆うように、甲被の舌部に第２の伸縮片２を設けて、この第２の伸縮片にベルト４を延設し、ベルトの先端部の裏面と対向する側甲被に面ファスナーとを固着しベルトを着脱可能にする。また、第１の伸縮片の上端部の位置は、靴が脱げないようにする為、中底面の全長の踵から５５％〜６５％の位置になるように設定する。【選択図】図１
0003149827.tif 000002
【実用新案登録請求の範囲】
【請求項１】
甲被の両側部を切り欠き、両方の切欠き部に伸縮片を設けたスリッポン靴において、
両方の切り欠き部の一方側の切欠き部に第１の伸縮片を設けるとともに、その上部を切り欠き、
前記伸縮片の切欠き部を覆うように、甲被の舌部に第２の伸縮片を設けて、この第２の伸縮片にベルトを延設し、ベルトの先端部の裏面と対向する側甲被に面ファスナーとを固着しベルトを着脱可能にしたことを特徴とする靴。
【請求項２】
前記第１の伸縮片の上端部の位置は、中底面の全長の踵から５５％〜６５％の位置になるように設定されていることを特徴とする請求項1記載の靴。
【請求項３】
前記第２の伸縮片は、複数本の伸縮片からなることを特徴とする請求項１または２記載の靴。
【考案の詳細な説明】
【技術分野】
【０００１】
本考案は、甲の調節範囲の少ないサイドゴア付のスリッポンタイプの靴において、甲の高さに応じて調節ができる子供靴を提供する。
【背景技術】
【０００２】
特許文献１には甲被履き口の側部に切欠きを設け、この切欠き部に伸縮片を縫着し履き口が広がるようにした靴が開示されている。
また、特許文献２には、靴の前甲において左右に切開部を有する舌片部にベルトを設け、ベルトの左右裏面側にそれぞれ雌面ファスナーを設け、切開部の外側の内外前甲部分に雄面ファスナーを設けてなるリハビリテーション用靴が開示されている。
【先行技術文献】
【特許文献】
【０００３】
【特許文献１】実開昭４８−５７２４７号公報
【特許文献２】登録実用新案第３０４７９２２号公報
【考案の概要】
【考案が解決しようとする課題】
【０００４】
特許文献１記載の従来のサイドゴア付スリッポン靴では、甲の高さの調節範囲が狭いので、足長の合った履物を履いても甲の低い子供は脱げてしまい、又、甲の高い子供は足が入らないという不具合が生じていた。
特許文献２記載のリハビリテーション用靴においては、動きの激しい子供が履用した場合、サイドゴアが設けられていないため、靴がすっぽ抜けるという欠点を有していた。
本考案は、このような不具合を解消する為に、サイドゴア付スリッポン靴においても甲の高さの高低に応じられるように調節ができる構造の靴を提供することである。
【課題を解決するための手段】
【０００５】
本考案の靴は、甲被の両側部を切り欠き、両方の切欠き部に伸縮片を設けたスリッポン靴において、
両方の切り欠き部の一方側の切欠き部に第１の伸縮片を設けるとともに、その上部を切り欠き、
前記伸縮片の切欠き部を覆うように、甲被の舌部に第２の伸縮片を設けて、この第２の伸縮片にベルトを延設し、ベルトの先端部の裏面と対向する側甲被に面ファスナーとを固着しベルトを着脱可能にしたことを特徴とする。
【０００６】
第２の伸縮片は、第１の伸縮片の切欠き部に設けられることがポイントであり、また、第１の伸縮片の上端部の位置は、中底面の全長の踵から５５％〜６５％の位置であることが重要である。その理由は、ベルトが外れた場合、第１の伸縮片の上端部の位置は、踵からの位置が６５％より大きくなると、靴が足から脱げ易くなるからである。また、第２の伸縮片を設けたのは、ベルトの調節範囲をひろげる為でもある。
【０００７】
前記靴において、第１の伸縮片の反対側に位置する伸縮片は、砂除けのため、甲被の切欠部を全部覆う必要があるため、伸縮片を切り欠く必要はない。
【０００８】
本考案の靴に用いる伸縮片は、ゴム糸を織り込んだ伸縮性の材料、例えば、ゴム糸入り織物、弾性糸織物を使用する。
【０００９】
本考案の靴に用いる第２の伸縮片は、１本の伸縮片でもよいし、分割して複数の伸縮片を設けてもよい。
【００１０】
また、本考案の靴の甲被切り欠き形状は、履き口側へいくにつれて幅が広くなることが好ましい。
【考案の効果】
【００１１】
本考案の靴は、甲被の両側部を切り欠き、両方の切欠き部に伸縮片を設けたスリッポン靴において、
両方の切り欠き部の一方側の切欠き部に第１の伸縮片を設けるとともに、その上部を切り欠き、
前記伸縮片の切欠き部を覆うように、甲被の舌部に第２の伸縮片を設けて、この第２の伸縮片にベルトを延設し、ベルトの先端部の裏面と対向する側甲被に面ファスナーとを固着しベルトを着脱可能にしたので、ベルトの調節範囲が広くなり、甲の高さが低い子供にも、甲高の子供にもベルトの調節ができる。  
【００１２】
本考案の靴の甲被側部に設けた切欠き部に第１の伸縮片が設けられ、その上端部の位置は、中底面の全長の踵から５５％〜６５％の位置になるように設定されているので、伸縮性のベルトがはずれた場合でも、靴が足からが脱げることを防止することができる。
【図面の簡単な説明】
【００１３】
【図１】本考案の実施例の靴を外側からみた側面図
【図２】本考案の実施例の靴を内側からみた側面図
【図３】本考案の靴のベルトを閉じた時の部分拡大図
【図４】本考案の靴のベルトを開いた時の部分拡大図
【図５】本考案の靴の第１の伸縮片の取り付け位置を示す図
【図６】本考案の靴の別の実施例の側面図
【図７】従来のサイドゴア付スリッポン靴の側面図
【考案を実施するための形態】
【００１４】
本考案の靴を実施するための形態について図面を参照して説明する。
図１は本考案の実施例の靴を外側からみた側面図であり、靴甲被の外側の切欠き部に第1の伸縮片と、第２の伸縮片及びベルトを設けた図である。
甲被の両側部を切り欠きの一方の切欠き部に第１の伸縮片を設け、その切欠き部を覆うように、甲被の舌部に第２の伸縮片を設けて、この第２の伸縮片にベルトを延設し、ベルトの先端部の裏面と側甲被に面ファスナーを固着しベルトを着脱可能にした構造である。
【００１５】
図２は本考案の実施例の靴を内側からみた側面図である。
甲被の内側の部分の切欠き部は、通常の伸縮片で覆うようにしている。
【００１６】
図３は本考案の靴のベルトを閉じた時の部分拡大図である。
第２の伸縮片が第１の伸縮片を覆う構造とした。このため、子供が砂場などで履用した場合、砂が靴内に進入しにくい構造とした。
【００１７】
図４は本考案の靴のベルトを開いた時の部分拡大図である。
図４においてベルトの裏面に雌面ファスナーを縫着し、対向する側甲被には、雄面ファスナーを縫着し、ベルトが着脱可能となるようにした。
【００１８】
図５は本考案の靴の第１の伸縮片の取り付け位置を示す図である。
第１の伸縮片は、第２の伸縮片を設けるために、切り欠いでいるが、ベルトが外れた場合でも、靴が脱げないようにする為である。このためには、第１の伸縮片の上端部の位置は、設計上、中底面の全長の踵から５５％〜６５％の位置であることが必要である。
【００１９】
図６は本考案の別の実施例である。
甲被側部に設けられた第２の伸縮片が２本の伸縮片で構成される。
【符号の説明】
【００２０】
１．靴
２．舌部
３．甲被の側部
４．ベルト
５．第１の伸縮片
６．第２の伸縮片
６’．第２の伸縮片
７．雄面ファスナー
８．雌面ファスナー
９．第1の伸縮片の上端部
１０．第１の伸縮片の切り欠き部
１１．通常の伸縮片
【図１】
0003149827.tif 000003
【図２】
0003149827.tif 000004
【図３】
0003149827.tif 000005
【図４】
0003149827.tif 000006
【図５】
0003149827.tif 000007
【図６】
0003149827.tif 000008
【図７】
0003149827.tif 000009